(57)【要約】【課題】回復動作の時間を短縮することができ、しかも吸収部材や弁がなくても吐出口面に液溜まりが生じないような液体吐出ヘッドの回復装置を提供する。【解決手段】液体吐出ヘッドの回復装置が、液体吐出ヘッドの複数の吐出口７を覆う中空のキャップ３と、キャップ３の内部を負圧にする吸引機構５とを有する。キャップ３は液体吐出ヘッド１に対して相対的に、複数の吐出口７が構成する列に交差する方向にスライドする。【選択図】図６
2015134492.tif 000002
【特許請求の範囲】
【請求項１】
液体吐出ヘッドの複数の吐出口を覆う中空のキャップと、前記キャップの内部を負圧にする吸引機構とを有し、前記キャップは前記液体吐出ヘッドに対して相対的に、前記複数の吐出口が構成する列に交差する方向にスライドする、液体吐出ヘッドの回復装置。
【請求項２】
前記キャップは、先端部の一部に、前記キャップの前記先端部の他の部分よりも壁の高さが低い低壁部を有している、請求項１に記載の液体吐出ヘッドの回復装置。
【請求項３】
液体吐出ヘッドの複数の吐出口を覆う中空のキャップと、前記キャップの内部を負圧にする吸引機構とを有し、前記キャップは先端部の一部に前記キャップの前記先端部の他の部分よりも壁の高さが低い低壁部を有している、液体吐出ヘッドの回復装置。
【請求項４】
前記低壁部は、前記複数の吐出口が構成する列に沿って延びており、前記キャップは、前記低壁部を進行方向前端部として、相対的にスライドする、請求項２または３に記載の液体吐出ヘッドの回復装置。
【請求項５】
前記キャップの、前記液体吐出ヘッドに対する相対移動の進行方向前方側の外壁面は、前記吐出口が形成された吐出口面に対して鋭角に交差する方向に傾斜している、請求項１から４のいずれか１項に記載の液体吐出ヘッドの回復装置。
【請求項６】
前記キャップは、前記液体吐出ヘッドに設けられた全ての前記吐出口を覆う、請求項１から５のいずれか１項に記載の液体吐出ヘッドの回復装置。
【請求項７】
前記液体吐出ヘッドと、請求項１から６のいずれか１項に記載の回復装置とを含む、液体吐出装置。
【請求項８】
前記液体吐出ヘッドの前記記録素子基板の側面が封止されずに露出している、請求項７に記載の液体吐出装置。
【請求項９】
液体吐出ヘッドの複数の吐出口を、中空のキャップで覆うステップと、前記キャップの内部を負圧にして、該キャップで覆われている前記吐出口の内部の気体および液体を吸引するステップと、吸引するステップの後に、前記キャップを前記液体吐出ヘッドに対して相対的に、前記複数の吐出口が構成する列に交差する方向にスライドさせるステップと、を含む液体吐出ヘッドの回復方法。
【請求項１０】
前記複数の吐出口を前記キャップで覆うステップでは、前記キャップの先端部を、一部を除いて前記記録素子基板に当接させるとともに、前記一部を前記記録素子基板に当接させずに前記記録素子基板との間に隙間を設けておく、請求項９に記載の液体吐出ヘッドの回復方法。
【請求項１１】
液体吐出ヘッドの複数の吐出口を、中空のキャップで覆うステップと、前記キャップの内部を負圧にして、該キャップで覆われている前記吐出口の内部の気体および液体を吸引するステップと、を含み、前記複数の吐出口を前記キャップで覆うステップでは、前記キャップの先端部を、一部を除いて前記記録素子基板に当接させるとともに、前記一部を前記記録素子基板に当接させずに前記記録素子基板との間に隙間を設けておく、液体吐出ヘッドの回復方法。
【請求項１２】
前記キャップを相対的にスライドさせるステップでは、前記キャップを、前記記録素子基板に当接しない一部を進行方向前端部としてスライドさせる、請求項９または１０に記載の液体吐出ヘッドの回復方法。
【請求項１３】
前記複数の吐出口を前記キャップで覆うステップでは、前記キャップで、前記液体吐出ヘッドに設けられた全ての前記吐出口を覆う、請求項９から１２のいずれか１項に記載の液体吐出ヘッドの回復方法。
【発明の詳細な説明】
【技術分野】
【０００１】
本発明は、液体吐出ヘッドの回復装置および液体吐出装置と、液体吐出ヘッドの回復方法に関する。
【背景技術】
【０００２】
液体吐出ヘッドを往復移動させながら記録媒体に液体を吐出させて記録を行う液体吐出装置が、画像の出力装置として広く使用されている。一般的な液体吐出ヘッドは、液体を吐出するための吐出口を有する記録素子基板と、液体を保持する容器から記録素子基板へ液体を供給するための液体流路を有する支持部材とを備えている。そして、液体容器から液体流路を介して記録素子基板に供給された液体に、発熱素子等の吐出素子からエネルギーを付与することによって、液体が吐出口から外部に吐出する。
【０００３】
液体吐出ヘッドから液体を吐出するためには、吐出口が液体で満たされている必要がある。しかし、吐出口と繋がる流路内に空気が存在すると、その空気が液体の流通を妨げて、吐出口が液体で満たされず、安定した吐出が行えないことがある。また、吐出口が液体で満たされていても、吐出口面の吐出口の周囲に多量の液体が存在していると、吐出の妨げとなり、精細な画像を形成できなくなることがある。
【０００４】
そこで、ポンプ等で負圧を発生させて記録素子基板の吐出口面側から吸引を行って、吐出口まで液体を満たし、さらに吐出口の周囲の余分な液体を吸い取って清掃する回復動作を行うのが一般的である。このような回復動作の一例として、特許文献１に示すように、弾性部材からなるキャップで吐出口面の一部を覆って吸引する方法がある。また、特許文献２に示すように、記録素子基板に設けられた全ての吐出口を一括してキャップで覆った状態で吸引する方法もある。
【先行技術文献】
【特許文献】
【０００５】
【特許文献１】特願２００７−２５３４０８号公報
【特許文献２】特開２０００−２０３０６０号公報
【発明の概要】
【発明が解決しようとする課題】
【０００６】
特許文献１に記載の回復方法では、記録素子基板の、吐出口が設けられている領域全体の面積よりも、キャップが覆うことができる面積が小さいので、一部の吐出口のみを対象とした吸引動作が行われる。従って、全ての吐出口を吸引するためには、キャップまたは記録素子基板を、複数の吐出口が並ぶ列方向に沿って相対的に移動させながら吸引動作を繰り返し行う必要があり、回復動作に要する時間が長い。
【０００７】
一方、特許文献２に記載の回復方法では、キャップまたは記録素子基板を移動させずに１回の吸引動作で回復動作が完了するため、所要時間を短縮できる。しかし、吸引終了後に、全ての吐出口を一括して覆っているキャップを吐出口面から離すと、キャップ内が負圧であったため吐出口内の液体が引き出され、吐出口の先端からその外側に引き出された液滴が残留し、吐出口面に液溜まりが生じるおそれがある。
【０００８】
これに対し、吐出口面に液溜まりが残らないように液体を吸収する吸収部材をキャップの内部に設ける場合がある。しかし、このような吸収部材が存在すると、吸引時に抵抗となって吸引力の低下を招き、液体流路内の空気を短時間では十分に吸引できない可能性がある。また、吸引終了後にキャップ内の残留負圧を破壊して大気圧へ開放するための弁を設けることで、液溜まりの発生を防ぐ場合もある。しかし、弁を設けることにより、部品点数が多く複雑な装置になる。
【０００９】
そこで、本発明の目的は、回復動作に要する時間を短くし、しかも吸収部材や弁がなくても吐出口面に液溜まりが生じない、液体吐出ヘッドの回復装置および液体吐出装置と、液体吐出ヘッドの回復方法を提供することにある。
【課題を解決するための手段】
【００１０】
本発明の液体吐出ヘッドの回復装置は、液体吐出ヘッドの複数の吐出口を覆う中空のキャップと、キャップの内部を負圧にする吸引機構とを有する。キャップは液体吐出ヘッドに対して相対的に、複数の吐出口が構成する列に交差する方向にスライドする。
【００１１】
本発明のもう１つの液体吐出ヘッドの回復装置は、液体吐出ヘッドの複数の吐出口を覆う中空のキャップと、キャップの内部を負圧にする吸引機構とを有する。キャップは先端部の一部に低壁部を有している。
【００１２】
本発明の液体吐出ヘッドの回復方法は、液体吐出ヘッドの複数の吐出口を、中空のキャップで覆うステップと、キャップの内部を負圧にして、キャップで覆われている吐出口の内部の気体および液体を吸引するステップと、を含む。さらに、吸引するステップの後に、キャップを液体吐出ヘッドに対して相対的に、複数の吐出口が構成する列に交差する方向にスライドさせるステップを含む。
【００１３】
本発明のもう１つの液体吐出ヘッドの回復方法は、液体吐出ヘッドの複数の吐出口を、中空のキャップで覆うステップと、キャップの内部を負圧にして、キャップで覆われている吐出口の内部の気体および液体を吸引するステップと、を含む。複数の吐出口をキャップで覆うステップでは、キャップの先端部を、一部を除いて記録素子基板に当接させるとともに、一部を記録素子基板に当接させずに記録素子基板との間に隙間を設けておく。
【００１４】
本発明において、キャップが液体吐出ヘッドに対して相対的に吐出口の列に交差する方向にスライドすると、短い移動距離で迅速に、吐出口を覆う位置からキャップを離れさせることができる。しかも、キャップの内部が大気に開放されて負圧が解消されるのは吐出口から離れた位置であるため、その際に吐出口内の液体を吸い出すことはない。
【００１５】
また、キャップの一部が記録素子基板に当接しない部分（低壁部）になっていると、吸引動作の停止後には隙間からキャップ内に空気が流入して負圧雰囲気は即座に解消するため、吐出口内の液体を吸い出すことはない。
【発明の効果】
【００１６】
本発明によると、回復のための吸引動作が終わった後にキャップ内が負圧雰囲気から大気圧に戻る際に、吐出口内の液体が吸い出されて吐出口の周囲に付着することがなく、吐出口面に液溜まりが生じない。従って、良好な液体吐出が行える。
【図面の簡単な説明】
【００１７】
【図１】本発明の液体吐出装置の要部を示す概略図である。
【図２】図１に示す液体吐出装置の回復動作を示す概略図である。
【図３】本発明の第１の実施形態の、液体吐出ヘッドの記録素子基板がキャップで覆われた状態を示す平面図である。
【図４】本発明の第１の実施形態の回復動作を示す拡大断面図である。
【図５】本発明の第２の実施形態の、液体吐出ヘッドの記録素子基板がキャップで覆われた状態を示す平面図である。
【図６】本発明の第２の実施形態の回復動作を示す拡大断面図である。
【図７】本発明の第３の実施形態の、液体吐出ヘッドの記録素子基板がキャップで覆われた状態を示す平面図である。
【図８】本発明の第３の実施形態の回復動作を示す拡大断面図である。
【発明を実施するための形態】
【００１８】
（第１の実施形態）
以下、本発明の実施形態について図面を参照して説明する。本発明の液体吐出装置は、図示しない駆動機構によって往復移動可能な液体吐出ヘッド１と、その液体吐出ヘッド１を回復させるための回復装置２を含む（図１参照）。液体吐出ヘッド１は支持部材９と記録素子基板６等を含んでおり、記録素子基板６は液体を吐出するために利用されるエネルギーを発生するエネルギー発生素子（不図示）と吐出口７が形成される吐出口形成部材とが接合されて構成される。この回復装置２は、液体吐出ヘッド１に対向可能な回復キャップ３と、ポンプ等の吸引機構５と、回復キャップ３と吸引機構５とを接続する配管４とを有している。回復キャップ３は先端開口の中空の形状を有しており、配管４と連通し、吸引機構５の吸引によって内部が負圧状態になる。この回復装置２の動作について簡単に説明すると、まず、図２（ａ）に示すように、回復キャップ３を、液体吐出ヘッド１の記録素子基板６に形成された吐出口７に対向するように配置する。そして、図２（ｂ）に示すように回復キャップ３を記録素子基板６の吐出口面に接触させる。そして、ポンプ等の吸引機構５の作動により、回復キャップ３から記録素子基板６に吸引力を加える。吸引動作が完了すると、図２（ｃ）に示すように、回復キャップ３を、記録素子基板６の上を、複数の吐出口７（図３，４参照）がなす列の方向に対して交差する（好ましくは直交する）方向にスライドさせる。
【００１９】
具体的には、液体吐出ヘッド１は、吐出口７を有する記録素子基板６と、液体流路８が形成された支持部材９とを有している。吐出口７は、平行な複数の列をなすように配置されている。図３には６列の吐出口列が図示され、便宜上、図４には３列の吐出口列が図示されている。また、支持部材９上にフレキシブルプリント基板１０が配置されており、記録素子基板６はフレキシブルプリント基板１０に設けられた穴部１０ａ内で外部に露出している。
【００２０】
回復キャップ３の先端、すなわち液体吐出ヘッド１の吐出素子基板６と接触する部分は、記録素子基板６の全ての吐出口７を収容する大きさおよび形状の枠状、例えば、四角形、円形、楕円形等の枠状である。図３に示すような四角形であれば、全ての吐出口７を効率よく覆うことができるため特に好ましい。この回復キャップ３は、後述するように吐出素子基板６をワイピングする際の記録素子基板６との密着性向上や、記録素子基板６の損傷防止のため、弾性材料からなることが望ましい。例えば、シリコンゴム、ニトリルゴム、フッ素ゴム等が、インク接液性の観点からより望ましい。ただし、これらの材料に限定されるわけではない。
【００２１】
回復装置２の動作について説明すると、液体吐出ヘッド１の回復動作に際して、まず、図２（ａ）に示すように、回復キャップ３を、液体吐出ヘッド１の記録素子基板６の吐出口形成領域に対向するように配置する。そして、図２（ｂ），４（ａ）に示すように回復キャップ３を記録素子基板６に接触させる。このとき、図３に示すように、回復キャップ３は、記録素子基板６の全ての吐出口７を覆う。そして、ポンプ等の吸引機構５が作動して、配管４を介して回復キャップ３の内部に負圧を発生させ、吐出口７に吸引力を作用させる。それにより、吐出口７および液体流路８の内部の気体（空気）を液体とともに回復キャップ３内に吸い出す。この時、液体吐出ヘッド１を、吐出口面が鉛直上方を向くような姿勢に配置していると、液体中の空気をより吸引しやすいため好ましい。最後に、図２（ｃ），４（ｂ）に示すように、回復キャップ３を、吐出素子基板６の上を、複数の吐出口７がなす列の方向に対して直交する方向にスライドさせる。それにより、吐出口面を回復キャップ３でワイピングするとともに、吐出口７および回復キャップ３の内部を大気に開放させる。
【００２２】
このように、本実施形態では、回復動作後に回復キャップ３を、複数の吐出口７がなす列の方向に対して直交する方向にスライドさせる。それによって、回復キャップ３を、短い移動距離で迅速に、全ての吐出口７を覆う位置から離れさせることができ、吐出口７を大気に開放させることができる。従って、回復動作に要する時間が短くなる。特に、図３に示すように回復キャップ３が全ての吐出口７を覆う大きさおよび形状であると、１回の吸引動作で全ての吐出口を一括して回復させることができ、作業時間の短縮が図れる。
【００２３】
また、仮に、回復キャップ３を吐出口面に対して垂直な方向に持ち上げることによって吐出口面から離れさせると、回復キャップ３の内部が負圧から大気圧に復帰する前に吐出口７内の液体を吸い出してしまい、吐出口面に液溜まりが生じる可能性があった。しかし、本実施形態では、回復キャップ３を吐出口面に対して実質的に平行な方向にスライドさせ、回復キャップ３の内部の負圧雰囲気をある程度維持したまま吐出口７から離れさせる。そして、回復キャップ３の内部が大気に開放されて負圧が解消されるのは吐出口７から離れた位置であるため、その際に吐出口７内の液体を吸い出すことはなく、吐出口面に液溜まりは生じにくい。特に、記録素子基板６の側面が封止されずに露出していると、図４（ｂ）に示すように、スライドしている回復キャップ３の一部が記録素子基板６の端縁から外側にはみ出した時点で即座に回復キャップ３内に空気が流入して負圧が解消される。従って、吐出口７内の液体を必要以上に吸い出すことはなく、吐出口７の周囲に液溜まりが発生することが抑えられる。しかも、回復キャップ３のスライド時にはその先端部分が吐出口面のワイピング（拭き取り）を行うため、吐出口面の液溜まりを防止できる。
【００２４】
本実施形態では、回復キャップ３の先端全周が記録素子基板６の吐出口面に密着するので、吸引機構５の作動時に真空度が上がりやすい。そのため、良好な回復動作が容易に行えるので、回復装置２の製造条件に余裕を持たせることができる。
【００２５】
本実施形態では、例えば、吐出口が大きく、顔料インクを吐出するような液体吐出ヘッドにおいて、吸引時の真空度を高めて吸引量を増やして、空気の排出を容易にしたり、回復の時間を短くしたりできるという利点がある。
【００２６】
（第２の実施形態）
図５，６には、本発明の第２の実施形態を示している。本実施形態では、回復キャップ３の先端部の一部が低壁部３ａになっている。従って、回復キャップ３が記録素子基板６に当接して吐出口７を覆っているときに、図６（ａ）に示すように低壁部３ａは記録素子基板６に接触せず、隙間１１が生じている。
【００２７】
吸引機構５を作動させて配管４を介して回復キャップ３内に吸引力を作用させ吐出口７の内部の液体を吸い出す際には、吸引機構５によりある程度強い吸引力を発生させれば、隙間１１があっても液体の吸引は可能である。しかし、吸引機構５の動作停止後には隙間１１から空気が流入して負圧雰囲気は即座に解消する。従って、この回復キャップ３を記録素子基板６から離れさせるときに吐出口７の内部の液体を吸い出すことはない。従って、吐出口面に液溜まりは生じない。
【００２８】
図６（ｂ）〜（ｃ）に示すように、本実施形態においても、回復動作後に回復キャップ３を、複数の吐出口７がなす列の方向に対して直交する方向にスライドさせる。それによって、前記したように吸引後に回復キャップ３の負圧雰囲気が即座に解消することに加えて、第１の実施形態と同様の作用効果が得られ、吐出口面での液溜まりの発生をより確実に抑えられる。
【００２９】
さらに、本実施形態では、図３に示すように、回復キャップ３の吐出口列に沿って延びる先端部が低壁部３ａになっており、回復キャップ３のスライド時には、低壁部３ａを進行方向前端部としてスライドする。そのため、図６（ｃ）に示すように、フレキシブルプリント基板１０等の部材が記録素子基板６よりも回復キャップ３側に位置している場合に、スライドした回復キャップ３がその部材にぶつかることを抑えられる。回復キャップ３の先行する側の壁部が短いため、スライド時にフレキシブルプリント基板１０等の部材上に直接乗り上げる面積を小さくし、なだらかに干渉させることで、回復キャップ３と部材のダメージを抑えることができる。
【００３０】
（第３の実施形態）
図７、８には、本発明の第３の実施形態を示している。本実施形態では、回復キャップ３の相対移動の進行方向前方側の外壁面３ｂが、記録素子基板６の吐出口面に対して鋭角３ｃに交差する方向に傾斜している。この外壁面３ｂは、具体的には、液体吐出ヘッド１に対して相対的に、複数の吐出口が構成する列に交差する方向にスライドする回復キャップ３の進行方向前方側の面である。この外壁面３ｂが記録素子基板６の吐出口面と鋭角３ｃに交差する方向に傾斜して、その一部はフレキシブルプリント基板１０の上方に位置する。
【００３１】
図８（ａ）〜（ｃ）に示すように、本実施形態においても、吸引機構５を作動させて配管４を介して回復キャップ３内に吸引力を作用させ、吐出口７の内部の液体を吸い出す。そして回復動作後に回復キャップ３を、複数の吐出口７がなす列の方向に対して直交する方向にスライドさせる。それによって、前記した第１の実施形態と同様の作用効果が得られ、吐出口面での液溜まりの発生を抑えられる。
【００３２】
さらに、本実施形態では、図８に示すように、回復キャップ３の外壁面３ｂが吐出口面に対して鋭角３ｃに交差する方向に傾斜し、回復キャップ３のスライド時には、外壁面３ｂを進行方向の前端面としてスライドする。そのため、図８（ｃ）に示すように、フレキシブルプリント基板１０等の部材が記録素子基板６よりも回復キャップ３に近接している場合に、スライドした回復キャップ３がその部材にぶつかって回復キャップ３が摩耗してしまうことを抑制できる。回復キャップ３の前方側の外壁面３ｂが吐出口面に対して鋭角に交差する方向に傾斜しているため、スライド時にフレキシブルプリント基板１０等の部材から直接受ける衝撃力を壁面方向に逃がし、なだらかに干渉させる。その結果、回復キャップ３の受けるダメージを抑えることができる。この際、外壁面３ｂが吐出口面に対してより鋭角に交差するほど、よりダメージを抑えることができる。
【００３３】
本実施形態では、回復キャップ３の先端全周が記録素子基板６の吐出口面に密着するので、吸引機構５の作動時に真空度が上がりやすく、前記した構成のため、回復キャップ３の受けるダメージを抑えることができ、良好な回復動作が容易に行える。それにより、回復キャップ３の耐久性向上を考慮した高硬度部材を含めた材質選定の自由度が向上する。
【００３４】
なお、前記した各実施形態は、回復動作後に回復キャップ３が液体吐出ヘッド１に対してスライドする構成であるが、液体吐出ヘッド１が回復キャップに対してスライドする構成であってもよい。また、回復キャップ３と液体吐出ヘッド１とを相対的にスライドさせるための機構は、いかなる構成の機構であってもよい。
【００３５】
［実施例１］
図５〜６に示す第２の実施形態の回復装置を用いて回復動作を行った具体的な実施例について説明する。本実施例で用いた液体吐出ヘッドは、記録素子基板６の、長手方向が８．５ｍｍで短手方向が２．５ｍｍの四角形領域（吐出口形成領域）内に、複数の吐出口７が配列されている。回復キャップ３はシリコンゴムからなり、その先端は、内側寸法が１０ｍｍ×３ｍｍの四角形の枠状であり、全ての吐出口７を覆うことができる。この四角形の一辺が、他の片に比べて０．２ｍｍだけ短い低壁部３ａになっている。吸引機構５はアルバック機工株式会社製の真空ポンプからなる。
【００３６】
前記した構成の液体吐出ヘッド１に予め液体インクを注入した状態で、図２（ａ）〜（ｃ）および図６（ａ）〜（ｃ）に示す回復動作を行った。すなわち、まず図２（ａ）に示すように、回復キャップ３と液体吐出ヘッド１の記録素子基板６を向かい合わせて配置させる。次に、図２（ｂ）および図６（ａ）に示すように、回復キャップ３を記録素子基板６の吐出口面に接触させ、吸引機構（真空ポンプ）５を作動させて吸引圧力を−７５ｋＰａにし、０．６秒間保持して吐出口７や液体流路８の内部の液体や空気を吸引した。吸引機構５の動作停止後には、図６（ｂ）〜（ｃ）に示すように、回復キャップ３を、吐出口７の列に対して直交する方向に５ｍｍ／ｓｅｃのスピードでスライドさせた。この一連の回復動作に要した時間は１．６秒であった。そして、この回復動作後の液体吐出ヘッドを用いて液体吐出を行うと、吐出口７が液体で満たされていないことによる不吐出や、吐出口７の周囲に余分な液体インクが付着して残留することによるヨレはなく、良好な画像が得られた。
【００３７】
［実施例２］
次に、図３〜４に示す第１の実施形態の回復装置を用いて回復動作を行った具体的な実施例について説明する。液体吐出ヘッド１および吸引機構５は実施例１と同じものを使用した。回復キャップ３は、実施例１と同様に、シリコンゴムからなり、先端は内側寸法が１０ｍｍ×３ｍｍの四角形の枠状であり、全ての吐出口７を覆うことができる。ただし、本実施例の回復キャップ３は低壁部３ａを有しておらず、四角形の全辺が同じ長さで、記録素子基板６の吐出口面に同時に当接するものである。
【００３８】
この液体吐出ヘッド１に予め液体インクを注入した状態で、図２（ａ）〜（ｃ）および図４（ａ）〜（ｂ）に示す回復動作を行った。図２（ａ）に示すように回復キャップ３と記録素子基板６を向かい合わせた後、図２（ｂ）および図４（ａ）に示すように、回復キャップ３を記録素子基板６の吐出口面に接触させる。吸引機構（真空ポンプ）５を作動させて吸引圧力を−９０ｋＰａにし、０．５秒間保持して吐出口７や液体流路８の内部の液体や空気を吸引した。吸引機構５の動作停止後には、回復キャップ３を、吐出口の列に対して直交する方向に５ｍｍ／ｓｅｃのスピードでスライドさせた。この回復動作に要した時間は１．５秒であり、回復動作後の液体吐出ヘッドを用いて液体吐出を行うと、不吐出やヨレはなく良好な画像が得られた。
【符号の説明】
【００３９】
１      液体吐出ヘッド
２      回復装置
３      回復キャップ
３ａ    低壁部
３ｂ    外壁面
５      吸引機構（真空ポンプ）
６      記録素子基板
７      吐出口
１１    隙間
【図１】
2015134492.tif 000003
【図２】
2015134492.tif 000004
【図３】
2015134492.tif 000005
【図４】
2015134492.tif 000006
【図５】
2015134492.tif 000007
【図６】
2015134492.tif 000008
【図７】
2015134492.tif 000009
【図８】
2015134492.tif 000010